【事件の表示】
　特願２０１２−１０１４３２「電子機器及び電子機器の制御方法」拒絶査定不服審判事件〔平成２５年１１月　７日出願公開、特開２０１３−２２８９３７〕について、次のとおり審決する。
【結　論】
　本件審判の請求は、成り立たない。
【理　由】
第１　経緯
　本願は、平成２４年４月２６日の出願であって、平成２７年１０月２９日付けで拒絶理由が通知され、平成２８年１月１２日に手続補正がされ、平成２８年６月２３日付けで拒絶理由（最後）が通知され、平成２８年８月２６日に手続補正がされ、平成２８年１２月２８日付けで、平成２８年８月２６日付け手続補正は却下され、同日付けで拒絶査定がされ、これを不服として平成２９年４月７日に拒絶査定不服審判が請求されたものである。
第２　本願発明
　本願の請求項１、２に係る発明は、平成２８年１月１２日付け手続補正書により補正された特許請求の範囲の請求項１、２に記載された事項により特定されるものであるところ、その請求項１に係る発明（以下、「本願発明」という。）は次のとおりのものである。
[本願発明]
「表示部と、
　接触物が接触される接触部と、
　前記接触部に対する押圧を検出する押圧検出部と、
　前記押圧検出部による押圧を検出すると、当該押圧に基づいて前記表示部における表示ページを変更する制御部と、
を備える電子機器。」
第３　引用発明
１．引用文献の記載事項
　原査定の拒絶の理由で引用された米国特許出願公開第２０１１／５０５９１号明細書（以下、「引用文献」という。）には、図面とともに以下の事項が記載されている。
　なお、下線は当審により付したものである。また、括弧内の記載は、引用文献に係る米国特許出願を優先権主張の基礎とした出願の公表特許公報である特表２０１３−５０４１２８号公報を参考とした翻訳文である。
「Illustrative Ebook Reader Device Architecture 
[0026] FIG.1 illustrates an illustrative device architecture100 which, in one possible implementation, is a handheld dedicated 
eBook reader device102.
The eBook reader device102  has a touch-screen display104.
[0027] 
The touch-screen display104 presents content in a human-readable format to a user.
The touch-screen display104 is implemented with touch-sensitive technology which is responsive to user input registered via, for example, a finger, a stylus, or other similar pointing device.
[0028] As illustrated in FIG.1, 
the eBook reader device102 has various internal components, which include user interface subsystems108. Examples of such components may include one or more user input controller(s)110, a page turn detector112, a bookmarking module114, a book filtering module116, and a text-to-speech module118.
[0029] In some implementations, 
the one or more user input controller(s)110 may include a touch-screen pressure detector120. The touch-screen pressure detector120 detects not only the presence of pressure against the touch-screen display104, but also an amount of pressure applied to the touch-screen display104.
（例示的なｅＢｏｏｋリーダデバイスのアーキテクチャ
[００２６]図１は、１つの可能な実装例において、ハンドヘルド専用の
ｅＢｏｏｋリーダデバイス１０２
ｅＢｏｏｋリーダデバイス１０２は、タッチスクリーンディスプレイ１０４を有する。
[００２７]
タッチスクリーンディスプレイ１０４は、人間が読むことが可能なフォーマットで、コンテンツをユーザに提示する。
タッチスクリーンディスプレイ１０４は、例えば指、スタイラス、または他の類似したポインティングデバイスを介して登録されたユーザ入力に応答する、タッチ感知技術を実装する
[００２８]図１に示されるように、
ｅＢｏｏｋリーダデバイス１０２は、ユーザインターフェースサブシステム１０８を含む、種々の内部構成要素を有する。そのような構成要素の例には、１つ以上のユーザ入力コントローラ１１０、ページめくり検出器１１２、ブックマーキングモジュール１１４、ブック絞り込みモジュール１１６、およびテキスト−スピーチ変換モジュール１１８が挙げられる。
[００２９]いくつかの実装例において、
１つ以上のユーザ入力コントローラ１１０は、タッチスクリーン圧力検出器１２０を含んでもよい。タッチスクリーン圧力検出器１２０は、タッチスクリーンディスプレイ１０４に対する圧力の存在だけでなく、タッチスクリーンディスプレイ１０４に印加される圧力の量も検出する。
「[0037] FIG. 2 shows a process200 for using a touch-screen user interface to initiate various operations, such as turning pages, bookmarking pages, filtering books according to size, and converting text to speech. For ease of understanding, the process200(as well as processes500 in  FIG.5, 900 in FIG.9, 1200 in FIGS.12, and 1600 in FIG.16)is delineated as separate acts or operations represented as independent blocks. However, these separately delineated acts should not be construed as necessarily order dependent in their performance. The order in which the process is described is not intended to be construed as a limitation, and any number of the described process blocks maybe be combined in any order to implement the process, or an alternate process. Moreover, it is also possible that one or more of the provided processes will be omitted.
[0038] At 202, content is displayed on a touch-screen display104 of the eBook reader device 102. The content may be text from an electronic document, or it may be a list of items(such as book titles), or other text-based components.
[0039] At 204, a pressure applied by an object on the touch-screen display is detected. As noted above, the object may be a human finger, a stylus, or other type of pointing mechanism. In one implementation, 
the touch-screen pressure detector120 detects both placement of the object on the touch-screen display104 at 204(1), as well as an amount of pressure being applied by the object to the touch-screen display104 at 204(2).
[0040] 
At 206, an operation is initiated in response to the application of the object to the touch-screen display. There may be any number of operations that can utilize varying degrees of pressure to execute the operation in different ways. In one scenario, the operation may be turning pages in an electronic book. For instance, the page turning detector112 may turn one or more pages depending upon the amount of pressure applied to the touch-screen display.
[0041] 
At 208, the results of the operation are displayed on the touch-screen display. Depending on the operations being performed, the results will vary widely. Example results for the scenarios just discussed may be a new page, or redisplay of a bookmarked page.
（[００３７]図２は、タッチスクリーンユーザインターフェースを使用して、ページをめくる、ページをブックマークする、サイズに従ってブックを絞り込む、およびテキストをスピーチに変換する等の種々の動作を開始するためのプロセス２００を示す。理解を容易にするために、プロセス２００（ならびに、図５のプロセス５００、図９の９００、図１２の１２００、および図１６の１６００）は、独立したブロックとして表される別々の行為または動作として描写される。しかしながら、これらの別々に描写された行為は、それらの実行時に必ず依存する順序として解釈されるべきではない。プロセスが記載される順序は、限定するものとして解釈されることを意図したものではなく、任意の数の記載されるプロセスブロックを任意の順序で組み合わせて、該方法または代替の方法を実装してもよい。さらに、提供されたプロセスのうちの１つ以上を省略することも可能である。
[００３８]２０２で、コンテンツがｅＢｏｏｋリーダデバイス１０２のタッチスクリーンディスプレイ１０４上に表示される。コンテンツは、電子文書からのテキストであってもよく、またはアイテムのリスト（例えばブックのタイトル）、または他のテキストベースの構成要素であってもよい。
[００３９]２０４で、物体によってタッチスクリーンディスプレイに印加された圧力が検出される。前述のように、該物体は、人間の指、スタイラス、または他の種類のポインティング機構であってもよい。１つの実装例において、
タッチスクリーン圧力検出器１２０は、２０４（１）で、タッチスクリーンディスプレイ１０４上の物体の配置を検出し、ならびに２０４（２）で、該物体によってタッチスクリーンディスプレイ１０４に印加されている圧力の量を検出する。
[００４０]
２０６で、タッチスクリーンディスプレイ上の物体の印加に応答して、動作が開始される。異なる方法で動作を実行するために様々な程度の圧力を利用することができる、任意の数の動作があってもよい。１つのシナリオにおいて、該動作は、電子ブックのページをめくるものであってもよい。例えば、ページめくり検出器１１２は、タッチスクリーンディスプレイに印加された圧力の量に応じて、１つ以上のページをめくってもよい。
[００４１]
２０８で、動作の結果がタッチスクリーンディスプレイ上に表示される。実行されている動作に応じて、結果は、大きく変動する。ここで論じられるシナリオに対する例示的な結果は、新しいページまたはブックマーク済みページの再表示であり得る。
「Page Turning Based on Force 
[0044] In the first usage scenario, page turning in an eBook reader device is achieved by sensing pressure applied in different ways to the touch-screen user interface. Depending on the force or gesture, one or more pages may be turned forward or backward. Examples are described below with reference to FIGS.4-6.
[0045] FIG.4 shows a user interface representation400 of the handheld eBook reader device  102  displaying a page of text on the touch-screen display104. Pressure on the touch-screen display104 by an object such as the user's finger or a stylus may cause the eBook reader device 102 to display a different page of an electronic document analogous to turning a page of a physical book. The page turn detector112 may analyze input received by the touch-screen display104 to implement a page-turn command.」
（力に基づくページめくり
[００４４]第１の使用シナリオにおいて、ｅＢｏｏｋリーダデバイスのページめくりは、タッチスクリーンユーザインターフェースに異なる方法で印加される圧力を感知することによって達成される。力またはジェスチャに応じて、１つ以上のページが前方または後方にめくられてもよい。実施例は、図４〜６を参照して以下に説明する。
[００４５]図４は、テキストのページをタッチスクリーンディスプレイ１０４上に表示する、ハンドヘルドｅＢｏｏｋリーダデバイス１０２のユーザインターフェース表現４００を示す。ユーザの指またはスタイラス等の物体によるタッチスクリーンディスプレイ１０４上の圧力は、ｅＢｏｏｋリーダデバイス１０２に、電子文書の異なるページを表示させ得、これは、物理的なブックのページをめくることに類似している。ページめくり検出器１１２は、ページめくりコマンドを実装するために、タッチスクリーンディスプレイ１０４によって受け取られる入力を分析してもよい。）
「[0047] In one implementation, specific regions of the touch-screen display104 may be configured to be responsive to pressure, such that when pressed by the user, initiates functions to turn pages forward or backwards. In FIG.4, the screen UI includes two regions: a region404 for turning pages forward and a region406 for turning pages backwards. In one implementation, the region404 for turning pages forward is located in the lower right side of the touch-screen display 104 and the region406 for turning pages backwards is located in the lower left side of the touch-screen display104. In these locations, the user can hold the eBook reader device102 with two hands, and turn pages of an electronic document using his or her right and left thumbs, similar to how the user would leaf through a physical paperback book. The regions404 and 406  may be sized appropriately to accommodate the user's thumb.」
（[００４７]１つの実装例において、タッチスクリーンディスプレイ１０４の特定の領域は、圧力に応答するように構成されてもよく、よって、ユーザによって押された時に、前方または後方にページをめくる機能を開始する。図４において、スクリーンＵＩは、２つの領域を含む。すなわち、前方にページをめくるための領域４０４、および後方にページをめくるための領域４０６である。１つの実装例において、前方にページをめくるための領域４０４は、タッチスクリーンディスプレイ１０４の右下側に位置し、後方にページをめくるための領域４０６は、タッチスクリーンディスプレイ１０４の左下側に位置する。これらの位置において、ユーザは、両手でｅＢｏｏｋリーダデバイス１０２を保持し、ユーザの右親指および左親指を使用して電子文書のページをめくることができ、これは、ユーザが物理的なペーパーバックのブックを通してどのようにページをめくるかに類似している。領域４０４および領域４０６は、ユーザの親指を収容するように適正にサイズ決定されてもよい。）
「[0049] 
As discussed above, the touch-screen pressure detector120 detects an amount of pressure or force applied to the touch-screen display104. The number of pages turned may be proportional to the amount of pressure placed on one of the page-turn regions404, 406. As a larger amount of force is applied to a page-turn region404, 406, a greater number of pages are turned in proportion to the amount of force.
[0050] In other implementations, the speed at which pages turn may vary in proportion to the amount of pressure applied to a page-turn region  404 ,  406 . More pressure may cause the pages to turn faster. The number of pages turned and the speed of pages turning may both vary proportionally to the amount of pressure. For example, greater pressure on one of the page-turn regions  404 ,  406  may cause more pages to turn and the pages to turn faster. A threshold amount of force for turning a greater number of pages and/or for turning pages at a faster speed may be adjustable by the user. For example, the user may define an amount of pressure as the force necessary to turn ten pages at one time. The user may also define an amount of pressure, for example, as the pressure necessary to turn 60 pages a minute.」
（[００４９]
前述のように、タッチスクリーン圧力検出器１２０は、タッチスクリーンディスプレイ１０４に印加される圧力または力の量を検出する。めくられるページ数は、ページめくり領域４０４、４０６のうちの１つに与えられる圧力の量と比例していてもよい。より大きい力の量がページめくり領域４０４、４０６に印加されると、該力の量に比例して、より多くのページ数がめくられる。
[００５０]他の実装例において、ページをめくる速度は、ページめくり領域４０４、４０６に印加される圧力の量に比例して変動してもよい。より多くの圧力によって、より速くページをめくらせ得る。めくられるページ数およびページめくりの速度は、どちらも圧力の量に比例して変動し得る。例えば、ページめくり領域４０４、４０６上のうちの１つのより大きい圧力は、より多くのページをめくらせ、かつより速くページをめくらせ得る。より多くのページ数をめくるための、および／またはより速い速度でページをめくるための力の量の閾値は、ユーザによって調整することができてもよい。例えば、ユーザは、一度に１０ページをめくるために必要な力として、圧力の量を定義してもよい。ユーザはまた、例えば１分あたり６０ページをめくるために必要な圧力として、圧力の量を定義してもよい。）
「[0056] FIG.6 shows a process600 for turning pages using the touch-screen display104 of the eBook reader device102. At 602, a first page of an electronic document is displayed on the touch-screen display104 of the eBook reader device102. This is shown, for example, in the user interface representation400 in FIG.4, where a first page 50 is displayed.
[0057] At 604, an amount of pressured is detected within a region on the touch-screen display. In the implementation described above, for example, the pressure may be applied by an object to either the forward page-turn region404 or the backward page-turn region406.
[0058] 
At 606, a determination is made whether the pressure is applied in the first or second region. If applied to the first region(e.g., the first region branch from 606), one or more pages are turned forward in proportion to the amount of pressured applied to the first region at 608. If applied to the second region(e.g., the second region branch from 606), one or more pages are turned backward in proportion to the amount of pressured applied to the first region at  610.
（[００５６]図６は、ｅＢｏｏｋリーダデバイス１０２のタッチスクリーンディスプレイ１０４を使用してページをめくるためのプロセス６００を示す。６０２で、電子文書の第１のページが、ｅＢｏｏｋリーダデバイス１０２のタッチスクリーンディスプレイ１０４上に表示される。これは、例えば図４のユーザインターフェース表現４００で示され、ここでは、第１のページ「５０」が表示されている。
[００５７]６０４で、タッチスクリーンディスプレイ上の領域内の加圧量が検出される。前述した実装例において、例えば、圧力は、物体によって前方ページめくり領域４０４または後方ページめくり領域４０６のいずれかに印加されてもよい。
[００５８]
６０６で、圧力が、第１の領域に印加されたのか、第２の領域に印加されたのかの決定が行われる。第１の領域に印加された場合（例えば、６０６からの「第１の領域」分岐）は、６０８で、１つ以上のページが、第１の領域に印加された加圧量に比例して前方にめくられる。第２の領域に印加された場合（例えば、６０６からの「第２の領域」分岐）は、６１０で、１つ以上のページが、第１の領域に印加された加圧量に比例して後方にめくられる。
２．引用発明
（１）「ｅＢｏｏｋリーダデバイス１０２」
　上記引用文献の[００２６]の記載によれば、引用文献には、「ｅＢｏｏｋリーダデバイス１０２」に関する発明が記載されている。
（２）「コンテンツをユーザに提示し、ユーザ入力に応答するタッチ感知技術を実装するタッチスクリーンディスプレイ１０４」を有すること
　上記引用文献の[００２６]の「ｅＢｏｏｋリーダデバイス１０２は、タッチスクリーンディスプレイ１０４を有する。」との記載、及び、[００２７]の「タッチスクリーンディスプレイ１０４は、・・・、コンテンツをユーザに提示する。」、「タッチスクリーンディスプレイ１０４は、・・・ユーザ入力に応答する、タッチ感知技術を実装する。」との記載によれば、引用文献に記載された「ｅＢｏｏｋリーダデバイス１０２」は、「コンテンツをユーザに提示し、ユーザ入力に応答するタッチ感知技術を実装するタッチスクリーンディスプレイ１０４」を有するものである。
（３）「物体によって前記タッチスクリーンディスプレイ１０４に印可されている圧力の量を検出するタッチスクリーン圧力検出器１２０」を有すること
　上記引用文献の[００２８]の「ｅＢｏｏｋリーダデバイス１０２は、ユーザインターフェースサブシステム１０８を含む、種々の内部構成要素を有する。そのような構成要素の例には、１つ以上のユーザ入力コントローラ１１０、・・・が挙げられる。」との記載、及び、[００２９]の「１つ以上のユーザ入力コントローラ１１０は、タッチスクリーン圧力検出器１２０を含んでもよい。タッチスクリーン圧力検出器１２０は、・・・タッチスクリーンディスプレイ１０４に印加される圧力の量も検出する。」、図２の説明である[００３９]の「タッチスクリーン圧力検出器１２０は、２０４（１）で、タッチスクリーンディスプレイ１０４上の物体の配置を検出し、ならびに２０４（２）で、該物体によってタッチスクリーンディスプレイ１０４に印加されている圧力の量を検出する。」との記載によれば、引用文献に記載された「ｅＢｏｏｋリーダデバイス１０２」は、「物体によって前記タッチスクリーンディスプレイ１０４に印可されている圧力の量を検出するタッチスクリーン圧力検出器１２０」を有するものである。
（４）「前記圧力の量に応じて１つ以上のページをめくる動作を開始するページめくり検出器１１２」を有すること
　上記引用文献の[００２８]の「ｅＢｏｏｋリーダデバイス１０２は、ユーザインターフェースサブシステム１０８を含む、種々の内部構成要素を有する。そのような構成要素の例には、・・・ページめくり検出器１１２・・・が挙げられる。」との記載、及び、図２の説明である[００４０]の「２０６で、タッチスクリーンディスプレイ上の物体の印加に応答して、動作が開始され・・・、該動作は、電子ブックのページをめくるものであってもよい。例えば、ページめくり検出器１１２は、タッチスクリーンディスプレイに印加された圧力の量に応じて、１つ以上のページをめくってもよい。」との記載によれば、引用文献に記載された「ｅＢｏｏｋリーダデバイス１０２」は、「前記圧力の量に応じて１つ以上のページをめくる動作を開始するページめくり検出器１１２」を有するものである。
（５）「前記動作の結果、新しいページを前記タッチスクリーンディスプレイ１０４上に表示する」ものであること
　上記引用文献の図２の説明である[００４１]の「２０８で、動作の結果がタッチスクリーンディスプレイ上に表示される。・・・例示的な結果は、新しいページまたはブックマーク済みページの再表示であり得る。」との記載によれば、引用文献に記載された「ｅＢｏｏｋリーダデバイス１０２」は、「前記動作の結果、新しいページを前記タッチスクリーンディスプレイ１０４上に表示する」ものである。
（６）「タッチスクリーン圧力検出器１２０は、タッチスクリーンディスプレイ１０４に印加される圧力の量を検出し、めくられるページ数は、ページめくり領域４０４、４０６のうちの１つに与えられる圧力の量と比例しており、より大きい力の量がページめくり領域４０４、４０６に印加されると、該力の量に比例して、より多くのページ数がめくられる」ものであること
　上記引用文献の、[００４９]の「前述のように、タッチスクリーン圧力検出器１２０は、タッチスクリーンディスプレイ１０４に印加される圧力または力の量を検出する。めくられるページ数は、ページめくり領域４０４、４０６のうちの１つに与えられる圧力の量と比例していてもよい。より大きい力の量がページめくり領域４０４、４０６に印加されると、該力の量に比例して、より多くのページ数がめくられる。」との記載、及び、図６の説明である[００５８]の「６０６で、圧力が、第１の領域に印加されたのか、第２の領域に印加されたのかの決定が行われる。第１の領域に印加された場合（例えば、６０６からの「第１の領域」分岐）は、６０８で、１つ以上のページが、第１の領域に印加された加圧量に比例して前方にめくられる。第２の領域に印加された場合（例えば、６０６からの「第２の領域」分岐）は、６１０で、１つ以上のページが、第１の領域に印加された加圧量に比例して後方にめくられる。」との記載によれば、引用文献に記載された「ｅＢｏｏｋリーダデバイス１０２」は、「タッチスクリーン圧力検出器１２０は、タッチスクリーンディスプレイ１０４に印加される圧力の量を検出し、めくられるページ数は、ページめくり領域４０４、４０６のうちの１つに与えられる圧力の量と比例しており、より大きい力の量がページめくり領域４０４、４０６に印加されると、該力の量に比例して、より多くのページ数がめくられる」ものである。
（７）引用発明
　上記（１）〜（６）をまとめると、引用文献には、次の発明（以下、「引用発明」という。）が記載されていると認められる。
[引用発明]
「コンテンツをユーザに提示し、ユーザ入力に応答するタッチ感知技術を実装するタッチスクリーンディスプレイ１０４と、
　物体によって前記タッチスクリーンディスプレイ１０４に印可されている圧力の量を検出するタッチスクリーン圧力検出器１２０と、
　前記圧力の量に応じて１つ以上のページをめくる動作を開始するページめくり検出器１１２と、
　を有し、
　前記動作の結果、新しいページを前記タッチスクリーンディスプレイ１０４上に表示するｅＢｏｏｋリーダデバイス１０２であって、
　タッチスクリーン圧力検出器１２０は、タッチスクリーンディスプレイ１０４に印加される圧力の量を検出し、めくられるページ数は、ページめくり領域４０４、４０６のうちの１つに与えられる圧力の量と比例しており、より大きい力の量がページめくり領域４０４、４０６に印加されると、該力の量に比例して、より多くのページ数がめくられる、
　ｅＢｏｏｋリーダデバイス１０２。」
第４　対比・判断
　本願発明と引用発明とを対比する。
　引用発明が有する「コンテンツをユーザに提示し、ユーザ入力に応答するタッチ感知技術を実装するタッチスクリーンディスプレイ１０４」は、コンテンツをユーザに提示するから、「表示部」といえ、ユーザ入力に応答するタッチ感知技術を実装するものであるから、「接触物が接触される接触部」を有するものといえる。
　したがって、本願発明と引用発明とは、「表示部」と、「接触物が接触される接触部」とを備える点で一致する。
　引用発明が有する「物体によって前記タッチスクリーンディスプレイ１０４に印可されている圧力の量を検出するタッチスクリーン圧力検出器１２０」は、前記接触部を有する前記タッチスクリーンディスプレイに対する圧力の量を検出するものであるから、本願発明の「前記接触部に対する押圧を検出する押圧検出部」に相当する。
　したがって、本願発明と引用発明とは、「前記接触部に対する押圧を検出する押圧検出部」を備える点で一致する。
　引用発明は、「前記圧力の量に応じて１つ以上のページをめくる動作を開始するページめくり検出器１１２」を有し、
「前記動作の結果、新しいページを前記タッチスクリーンディスプレイ１０４上に表示するｅＢｏｏｋリーダデバイス１０２であって、タッチスクリーン圧力検出器１２０は、タッチスクリーンディスプレイ１０４に印加される圧力の量を検出し、めくられるページ数は、ページめくり領域４０４、４０６のうちの１つに与えられる圧力の量と比例しており、より大きい力の量がページめくり領域４０４、４０６に印加されると、該力の量に比例して、より多くのページ数がめくられる」ものである。
　換言すれば、引用発明は、タッチスクリーン圧力検出器１２０で圧力の量を検出すると、その圧力の量と比例した数のページがめくられて新しいページが表示されるという制御動作を行うものであるから、引用発明は、本願発明でいう「前記押圧検出部による押圧を検出すると、当該押圧に基づいて前記表示部における表示ページを変更する制御部」に相当する発明特定事項を備えているといえる。
　したがって、本願発明と引用発明とは、「前記押圧検出部による押圧を検出すると、当該押圧に基づいて前記表示部における表示ページを変更する制御部」を備える点で一致する。
　引用発明の「ｅＢｏｏｋリーダデバイス１０２」は、「電子機器」といい得るものであるから、本願発明と引用発明とは、「電子機器」である点で一致する。
　以上のとおり、本願発明と引用発明とは全ての発明特定事項で一致するから、本願発明は、引用文献に記載された発明である。
第５　請求人の主張について
　請求人は、審判請求書において、次のように主張している。
『本願発明は、「押圧検出部による押圧を検出すると、当該押圧に基づいて表示部における表示ページを変更する」ことに特徴があります。
　これに対し、審査官殿も御認識の通り、引用発明１は、タッチスクリーンディスプレイで検出した圧力に比例した数だけページをめくるものの、圧力に基づいて動的に表示ページを変更しながらめくるもの（１ページめくりであったり、２ページめくりであったり）ではなく、上述した本願発明の構成に対応する直接的な記載やこれを示唆する記載ではありません。
　上述のような相違点に起因して、本願発明は、引用発明に比べ、押圧に基づいて動的に表示ページを変更しながらめくることができるという顕著な効果を奏します。
　このような本願発明の効果は、引用発明１が意図していない、引用発明１が有する効果よりも優れたものであり、本願発明の各構成の結合によりはじめてもたらされたものであります。
　また、上述した相違点に係る構成は、当業者が出願当初の技術水準から予測し、適宜なし得る事項ではないものと思料致します。
　よって、本願発明は、引用発明１に記載されたものではなく、引用発明１に基づいて当業者が容易に想到し得たものにも該当しないものと思料致します。』
　この主張について検討する。
　まず、本願発明は、請求人の主張のとおり、「押圧検出部による押圧を検出すると、当該押圧に基づいて表示部における表示ページを変更する」ものであり、この点は本願の請求項に記載されたとおりである。
　次に、請求人は、引用発明１（本審決でいう引用発明）は、圧力に基づいて動的に表示ページを変更しながらめくるもの（１ページめくりであったり、２ページめくりであったり）ではない旨を主張する。しかしながら、本願発明も、‘圧力に基づいて動的に表示ページを変更しながらめくるもの’とまでは請求項には規定されていない。請求項の規定は、押圧に基づいて表示ページを変更することまでに留まり、押圧に基づいて表示ページを変更するものを、さらに詳細に、動的に表示ページを変更しながらめくるもの（１ページめくりであったり、２ページめくりであったり）とまでは規定されていない。
　したがって、審判請求書における請求人の上記主張は、請求項の記載に基づかない主張であり、上記本願発明と引用発明との対比・判断には採用できないものである。
　したがって、請求人の審判請求書における主張は当を得ないものである。
第６　むすび
　以上のとおりであるから、本願の請求項１に係る発明は、特許法第２９条第１項第３号に該当し、特許を受けることができない。
　したがって、本願は、その余の請求項に論及するまでもなく拒絶すべきものである。
　よって、結論のとおり審決する。